(57)【要約】【課題】低コストでありながら、障子を一部開放しても、外部からの視線を遮ることができ、また、適度な明るさを確保できる網戸を提供する。【解決手段】サッシ幅方向に移動自在で、かつサッシの室外側に取付けられ、上框２、下框３、右縦框４及び左縦框５で四周を構成され、かつ防虫網６が張設された網戸１であって、少なくとも右縦框４側又は左縦框５側のいずれか一つの袖部に、外部からの視線を遮るパネル９を配設する。【選択図】図１
2007239198.tif 000002
【特許請求の範囲】
【請求項１】
サッシ幅方向に移動自在で、かつサッシの室外側に取付けられ、
上框、下框、右縦框及び左縦框で四周を構成され、かつ防虫網が張設された網戸であって、
少なくとも右縦框側又は左縦框側のいずれか一つの袖部に、外部からの視線を遮るパネルを配設した、
ことを特徴とする網戸。
【請求項２】
防虫網は上框、右縦框、左縦框及び下框で囲まれた内周の全面に張設され、
該防虫網よりも室外側又は室内側に前記パネルが配設された、請求項１記載の網戸。
【発明の詳細な説明】
【技術分野】
【０００１】
本発明は、網戸に関するものである。
【背景技術】
【０００２】
従来から、建築物の屋外開口部に設置される引き違いサッシ、片引きサッシ等の各種サッシにおいて、換気を行う際には、障子を一部開放するが、サッシに取付けられた網戸では外部（屋外）からの視線を遮ることができないため、カーテンを閉じたり、ブラインドを下げたりして外部からの視線を遮っていた。
しかしながら、カーテンを閉じたり、ブラインドを下げたりすることは手間であり、この手間を解決するために、特許文献１には、網戸の外側に回動ルーバー等を予め取付け、障子を開放しても、外部からの視線を遮ることができる網戸が提案されている。
【特許文献１】特開２００４−１５６２０４号公報
【発明の開示】
【発明が解決しようとする課題】
【０００３】
しかしながら、上記発明は、製造コストがかかり、また、ルーバー等により太陽光が遮られ、適度な明るさを確保し難いという問題があった。
そこで、本発明の主たる課題は、低コストでありながら、障子を一部開放しても、外部からの視線を遮ることができ、また、適度な明るさを確保できる網戸を提供することにある。
【課題を解決するための手段】
【０００４】
上記課題を解決した本発明は、次のとおりである。
＜請求項１記載の発明＞
請求項１記載の発明は、サッシ幅方向に移動自在で、かつサッシの室外側に取付けられ、上框、下框、右縦框及び左縦框で四周を構成され、かつ防虫網が張設された網戸であって、少なくとも右縦框側又は左縦框側のいずれか一つの袖部に、外部からの視線を遮るパネルを配設した、ことを特徴とする網戸である。
【０００５】
（作用効果）
少なくとも右縦框側又は左縦框側のいずれか一つの袖部に、外部からの視線を遮るパネルを配設することにより、障子を一部開放して換気等を行う際に、開放した部分における外部からの視線を遮ることができる。また、パネルが配設された網戸は、通常の網戸と同様に取扱うことができ、網戸用レール上を走行して左又は右の障子の室外側を覆うことができると共に、取付け・取り外しを容易に行うことができる。さらに、網戸の一部にパネルを配設するので、別部材としてルーバー等を取付けるものに比べて製造コストが掛からない。
【０００６】
＜請求項２記載の発明＞
請求項２記載の発明は、防虫網は上框、右縦框、左縦框及び下框で囲まれた内周の全面に張設され、該防虫網よりも室外側又は室内側に前記パネルが配設された、請求項１記載の網戸である。
【０００７】
（作用効果）
防虫網は上框、右縦框、左縦框及び下框で囲まれた内周の全面に張設され、該防虫網よりも室外側又は室内側にパネルが配設されていることにより、パネルの材質として、防虫網の網の目よりも大きい穴が形成された、例えばパンチングメタル等も採用することができる。
【発明の効果】
【０００８】
本発明によれば、低コストでありながら、障子を一部開放しても、外部からの視線を遮ることができ、また、適度な明るさを確保できる等の利点がもたらされる。
【発明を実施するための最良の形態】
【０００９】
以下、本発明の実施の形態について、引き違いサッシの場合の形態に基づき説明する。
引き違いサッシは、図１乃至図５に示すように、下枠２０、上枠２１、左縦枠２２及び右縦枠２３で枠体を形成し、この枠体に、内障子３０及び外障子４０が装着され、当該サッシが構成される。
【００１０】
図１乃至図５に示すように、本発明に係る網戸１は、上框２、下框３、右縦框４及び左縦框５で四周が構成され、かつ防虫網６が張設されている。また、図３及び図４に示すように、本発明に係る網戸１には、右縦格子７、左縦格子８が縦方向に上框２と下框３とに跨るように設けられており、この右縦格子７と右框４及び上框２と下框３で囲まれた内周部分、並びに左縦格子８と左框５及び上框２と下框３で囲まれた内周部分に後述するパネル９、９を取付けることにより左右に袖部１０Ａ，１０Ｂが形成できるようになっている。
【００１１】
下框３には、図３に示すように、戸車３Ａが取付けられており、サッシの下枠２０に形成されたリブ状の網戸用レール２０Ａ上を回動しながらサッシ幅方向に移動できるようになっている。
【００１２】
上框２には、図３に示すように、網戸１の外れ止めのための外れ止めアタッチメント２Ａが取付られており、サッシの上枠２１に形成されたリブ状の網戸用レール２１Ａを狭持しながら、摺動してサッシ幅方向に移動できるようになっている。
【００１３】
右縦框４及び左縦框５には、図１及び図２に示すように、網戸１の幅方向におけるそれぞれの端部の室内側にそれぞれ、外障子４０の召し合せ框（右縦框）４１とサッシ枠の左縦枠２２に当接するモヘア等からなる第１のタイト材１１，１１が設けられている。さらに、これらの第１のタイト材１１，１１よりも網戸１の幅方向における内周側に、ヒレ部材の第２のタイト材１２，１２が設けられている。
【００１４】
外障子４０が開けられた状態では、図２に示すように、第１のタイト材１１，１１並びに第２のタイト材１２，１２はそれぞれ、左縦枠２２の端部及び外障子４０の左縦框４２に当接し虫の侵入を防ぐものである。このように、これら縦方向に延在する第１のタイト材１１，１１及び第２のタイト材１２，１２により縦の防虫ラインが構成されている。
【００１５】
右縦格子７と右縦框４には、図５に示すように、狭持溝７Ａ，４Ａがそれぞれ形成されており、これら狭持溝７Ａ，４Ａにパネル９を挟み込み、固定できるようになっている。ここで、右縦格子７の狭持溝７Ａにおいて、室外側のＬ型形状の取付片７ａがビス等により着脱自在になっており、パネル９の取付の際に、まず、右框４の狭持溝４Ａにパネル９の一側面を差し挟み、その後、パネル９の他側面を右縦格子７の狭持溝７Ａの室内側の片に当接させながら、室外側の取付片７ａをビス等により右縦格子７に固定することによってパネル９が取付けられる。
【００１６】
同様に、図５に示すように、左縦格子８と左縦框５には、狭持溝８Ａ，５Ａがそれぞれ形成されており、これら狭持溝８Ａ，５Ａにパネル９を挟み込み、固定できるようになっている。そして、同様に、左縦格子８の狭持溝８Ａにおいて、室外側の取付片８ａがビス等により着脱自在になっている。
【００１７】
パネル９は、外部からの視線を遮るものであればどのようなものであってもよい。好適には、外部からの視線を遮ると共に採光を取り入れることができるものが好ましく、例えば、ポリカーボネートプレート等を用いることが好ましい。ポリカーボネートプレートを用いる場合には、ブラウンやスモーク調の濃い色調の半透明、又はカスミ模様の半透明のものを用いることができる。なお、防虫網６は上框２、下框３、右縦框４及び左縦框５で囲まれた内周の全面に張設され、図６に示すように、この防虫網６よりも室外側にパネル９が配設される構成であることにより、パネル９の材質として、例えば、防虫網６の網の目よりも大きい穴が形成されたパンチングメタル等も採用することができる。また、本実施の形態では、防虫網６よりも室外側にパネル９が配設されているが、室内側にパネル９を配設してもよい。なお、外障子４０だけの開閉を考えているのであれば、左縦框５側（左袖部１０Ｂ側）にのみパネルを配設してもよい。
【００１８】
本発明に係る網戸１は、両袖部１０Ａ，１０Ｂに外部からの視線を遮るパネルを有することにより、図６に示すように、障子１を一部開放して換気を行う際には、開放した部分からの外部（屋外）からの視線を遮ることができる。また、外部からの視線を遮ると共に採光を取り入れるパネルを取付けることにより、外部からの視線を遮ることができることはもちろんのこと、適度な明るさも確保することができる。
【００１９】
特に、内障子３０や外障子４０に型ガラスが装着されている場合、障子を閉じている状態では、外部からの視線を遮ることができるが、障子を開けたときに、外部の視線を遮ることができないという問題があった。しかしながら、本発明に係る網戸１を用いることにより、障子を一部開放しても、外部（屋外）からの視線を遮ることができるものである。
【００２０】
また、パネル９，９が配設された網戸１は、通常の網戸と同様に取扱うことができ、網戸用レール２０Ａ上を走行して内障子３０及び外障子４０の室外側を覆うことができると共に、取付け・取り外しを容易に行うことができる。
【００２１】
なお、以上では本発明に係る網戸１について、引き違いサッシの場合の形態に基づき説明したが、本発明は、片引きサッシや両引きサッシ等の各種サッシにも用いることができる。
【図面の簡単な説明】
【００２２】
【図１】網戸と外障子を閉じた状態のサッシの横断面図である。
【図２】網戸と外障子を開けた状態のサッシの横断面図である。
【図３】網戸とサッシの縦断面図（Ｉ−Ｉ断面図）である。
【図４】網戸の室外側から見た正面図である。
【図５】網戸の横断面図である。
【図６】網戸と外障子を一部開放した状態のサッシの横断面図である。
【符号の説明】
【００２３】
１…網戸、２…上框、２Ａ…外れ止めアタッチメント、３…下框、３Ａ…戸車、４…右縦框、４Ａ…狭持溝、５…左縦框、５Ａ…狭持溝、６…防虫網、７…右縦格子、７Ａ…狭持溝、７ａ…取付片、８…左縦格子、８Ａ…狭持溝、９…パネル、１０Ａ，１０Ｂ…袖部、１１…第１のタイト材、１２…第２のタイト材、２０…下枠、２０Ａ…網戸用レール、２１…上枠、２１Ａ…網戸用レール、２２…左縦枠、２３…右縦枠、３０…内障子、４０…外障子、４１…召し合せ框（右縦框）４２…左縦框。
【図１】
2007239198.tif 000003
【図２】
2007239198.tif 000004
【図３】
2007239198.tif 000005
【図４】
2007239198.tif 000006
【図５】
2007239198.tif 000007
【図６】
2007239198.tif 000008